(57)【要約】    【課題】  ポケットなどに差し込んだ場合には、ボールペン体の収納状態を確認することが困難であり、ややもすると、不慮の操作によって突出した状態となってしまい衣類などを汚したりしてしまっていた。そこで、ポケットなどに差し込んだ状態においても、ボールペン体の収納状態が確認できるような筆記具が望まれるようになってきた。    【構成】  軸筒内に互いに接近・離隔する２個の移動部材を配置すると共に、前記軸筒を少なくとも２個の軸筒から構成し、それら２個の軸筒を相対的に回転可能に連結すると共に、それら２個の軸筒を相対的に回転させることによって、前記２個の移動部材を互いに離隔・接近可能に作動せしめた軸筒。【選択図】  図２
2006248068.tif 000002
【特許請求の範囲】
【請求項１】
軸筒内に互いに接近・離隔する２個の移動部材を配置すると共に、前記軸筒を少なくとも２個の軸筒から構成し、それら２個の軸筒を相対的に回転可能に連結すると共に、それら２個の軸筒を相対的に回転させることによって、前記２個の移動部材を互いに離隔・接近可能に作動せしめたことを特徴とする軸筒。
【請求項２】
前記移動部材に出没ユニットを配置せしめ、それら各々の出没ユニットを前記各々の軸筒の前端、並びに、後端から出没させたこと特徴とする請求項１記載の軸筒。
【請求項３】
前記一方の移動部材に一方の軸筒を固定したことを特徴とする請求項１記載の軸筒。
【請求項４】
前記出没ユニットの少なくとも１個を筆記体ユニットとすると共に、前記軸筒を前軸と後軸とより構成し、また、前記筆記体ユニットを第１弾撥部材によって前軸への没入方向に向け付勢する一方、他方の出没ユニットを第２弾撥部材によって後軸からの突出方向に向け付勢したことを特徴とする請求項２、或いは、請求項３に記載の軸体。
【請求項５】
前記一方の軸筒の内面にカム筒と回転子を配置すると共に、そのカム筒、並びに、回転子の各々に前記各々の移動部材を出没せしめるカム部を形成したことを特徴とする請求項１〜請求項４の何れかに記載の軸体。
【請求項６】
前記カム筒のカム部の後方部に係合溝部を延設形成したことを特徴とする請求項１〜請求項５の何れかに記載の軸体。
【請求項７】
前記２個の移動部材と相対的に回転する軸体との動作を連動はさせるが、何れか一方を遅延させて作動せしめたことを特徴とする請求項１〜請求項６の何れかに記載の軸体。
【発明の詳細な説明】
【技術分野】
【０００１】
本発明は、軸筒内に出没ユニットを軸体の前端と後端から出没可能に配置した回転繰り出し式の軸体に関するものであり、その回転繰り出し式の軸体として、例えば、軸体の前端から筆記体であるシャープペンシルユニットを出没させると共に後端から消しゴムを出没させるものや、軸体の前端から筆記体であるボールペン体を出没させると共に後端から砂消しゴムを出没させるもの、或いは、軸体の前端から化粧液を含浸させた塗布具を出没させると共に後端からブラシを出没させるものが挙げられる。
【背景技術】
【０００２】
携帯時の安全性や衣服の汚れ防止の面から、従来より、非筆記時（携帯時等）に筆記具の先端部分を軸筒内に収納できる回転出没式軸筒（筆記具）が知られている。
特に、出没ユニットがシャープペンシルユニットからなる場合、軸筒から出没ユニットが突出した状態、すなわち筆記状態においては、芯の消費により、芯出し操作を行う必要がある。
その芯出し機構には種々の方法があり、又、実際に製品化されているものもあるが、軸筒の後端に突出した状態で尾冠部材を配置せしめ、その尾冠部材を押圧することでチャックスプリングに抗してチャックを前進させ芯の繰り出しを行う、所謂、後端ノック式のシャープペンシルユニットが最も一般的である。
【特許文献１】実公昭６０−２１２７１号公報
【発明の開示】
【発明が解決しようとする課題】
【０００３】
上述したシャープペンシルユニットは、そのシャープペンシルユニットの収納時に、芯を繰り出す操作部となる尾冠部材が作動しないようにするのが好ましい。また、仮に、尾冠部材が作動しても芯の繰り出しが行えないような機構を採用するのが望ましい。シャープペンシルユニットが収納されていても、芯の繰り出しが行われてしまうと、結果的に、芯が軸体から突出してしまい、衣服などを汚したり、強いては、肌に突き刺さってしまう危険性があるからである。
また、出没ユニットがボールペン体であっても、些か課題が残されていた。つまり、ポケットなどに差し込んだ場合には、ボールペン体の収納状態を確認することが困難であり、ややもすると、不慮の操作によって突出した状態となってしまい衣類などを汚したりしてしまっていた。そこで、ポケットなどに差し込んだ状態においても、ボールペン体の収納状態が確認できるような筆記具が望まれるようになってきた。
【課題を解決するための手段】
【０００４】
本発明は、軸筒内に互いに接近・離隔する２個の移動部材を配置すると共に、前記軸筒を少なくとも２個の軸筒から構成し、それら２個の軸筒を相対的に回転可能に連結すると共に、それら２個の軸筒を相対的に回転させることによって、前記２個の移動部材を互いに離隔・接近可能に作動せしめたことを要旨とする。
【発明の効果】
【０００５】
本発明は、軸筒内に互いに接近・離隔する２個の移動部材を配置すると共に、前記軸筒を少なくとも２個の軸筒から構成し、それら２個の軸筒を相対的に回転可能に連結すると共に、それら２個の軸筒を相対的に回転させることによって、前記２個の移動部材を互いに離隔・接近可能に作動せしめたので、移動部材に配置した出没ユニットを互いに突出・没入されることができ、また、出没ユニットの出没動作に連動させて軸体の伸縮をも可能にすることができる。
【０００６】
図１〜図７に第１例を示し説明する。参照符号２は前軸でカム筒１１が回転不能に固定されている。カム筒１１の後方には回転可能で後退を規制された回転子１０がその内方に装着されている。その回転子１０の後方には開放溝１０ｆが形成されており、後方より回転伝達部材１２が挿着しているが、その回転伝達部材１２の回転伝達突起１２ｃが前記開放溝１０ｆと回転不能ではあるが長手方向に対して摺動可能に係合している。その回転伝達部材１２の後方外側面には回転規制リブ１２ｂが形成されると共に、摺動突起１２ａが形成されている。
また、クリップ１４を一体に形成した後軸１の後方内面には、回転規制溝１ｂが形成されており、その回転規制溝１ｂには前記回転伝達部材１２の側面に形成された回転規制リブ１２ｂが長手方向に移動自在に係合している。
前記回転子１０の前方にはカム面１０ａが形成されており、そのカム面１０ａの前方には一方の出没ユニット（本例においては、芯の繰り出しが可能なシャープペンシルユニット４）を介して摺動子８が配置されている。その摺動子８は、筆記体４の前方に配置されたコイルスプリングなどからなる第１弾発部材５により常に後方に付勢されている。つまり、第１弾撥部材５は、筆記体４を収納する方向に付勢している。
その摺動子８の外側面には摺動突起８ａが形成され、前記カム筒１１に形成されたカム溝１１ａに係合している。故に、回転子１０が回転すると、摺動子８は長手軸線上を摺動する。
ここで、シャープペンシルユニット４が収納された状態で、後軸１を回転すると、その後軸１の回転運動は回転伝達部材１２を介して回転子１０に伝わり、摺動子８が前進し軸筒より筆記体４の先端が突出し筆記状態となる。
一方、前記摺動子８の内方には摺動子８に対して回転を規制された状態で、且つ長手方向に摺動可能に押し棒９が配置されている。その押し棒９は芯タンク７を介してチャックスプリング（図示せず）により後方に向けて付勢されている。此によって、押し棒９は芯タンク７に当接している。
更に、押し棒９の外側面には回転規制リブ９ｃが形成されており、その回転規制リブ９ｃの後端には回転伝達部材１２に当接する当接平坦部９ａが形成されている。
前記カム筒１１の後方には窓状のカム部１１ｃが形成されており、そのカム部１１ｃには第２のカム面１１ｄが形成されている。また、前記回転伝達部材１２は、回転子１０との間に張設されたコイルスプリングなどの第２弾撥部材１３によって常に後方に向けて付勢されており、その付勢力によって、摺動突起１２ａはカム部１１ｃ内に付勢された状態で配置されている。
ここで、シャープペンシルユニット４が収納された状態で、後軸１を回転すると、回転伝達部材１２は前記カム部１１ｃ内で、カム筒１１に対して回転しながら第２のカム面１１ｄに係合しながらも第２弾撥部材１３の付勢により後退し、その結果、後軸１の後端からもう一方の出没ユニットである尾冠部材１６が突出する。
また、前記回転伝達部材１２の前方には、押し棒押圧部１２ｄが形成されている。ここで、後軸２の回転により前記回転伝達部材１２を介して回転子１０が回転し、この時、押し棒９が摺動子８と共に前進することによってシャープペンシルユニット４が突出し筆記状態となる。この動作によって、後端ノックによる押圧力が芯タンク７に伝えられるようになり、芯の出し操作が可能になる。尚、この時、回転伝達部材１２は、前記第２のカム面１１ｄにより回転させられ後退している。故に、回転伝達部材１２の押し棒押圧部１２ｄは前軸２、カム筒１１に対して回転・後退しながら、押し棒９の回転伝達部材当接平坦部９ａの直下に位置するようになる。
シャープペンシルユニット４の突出状態で、後軸１後方より突出した尾冠部材１６を押圧前進すると、回転伝達部材１２も同時に前進し、押し棒押圧部１２ｄが押し棒９の回転伝達部材当接平坦部９ａを押圧する。この押圧作用によって、芯タンク７の後端が押圧され芯の繰り出しが行える。
尚、後軸１の前方内面には、回転ガイド１ｃが形成され、カム筒１１の外壁面に形成した外周突起１１ｂに係合しているため、後軸１の前軸２に対する相対的回転により、長手方向の移動を規制されている。
【０００７】
図８に本発明の第２例を示す。前記第１例の変形例である。第１例と同様な構成については、その説明を省略する。前記第１例では、収納からシャープペンシルユニット４（図示せず）の突出に関わる後軸１の回転角を１３５度に設計し、回転伝達部材１２の押し棒押圧部１２ｄを２カ所に形成しているが、本第２例では、芯の繰り出し時に回転伝達部材１２の押し棒押圧部１２ｄがより広い面積で押し棒９回転伝達部材当接平坦部９ａに当接できるようにしている。即ち、シャープペンシルユニット４の収納から突出に関わる後軸１の回転角を１８０度に設計し、回転伝達部材１２の押し棒押圧部１２ｄを１カ所にしたものである。
シャープペンシルユニット４の収納状態で、後軸１を回転することにより、押し棒９は前進するが、回転伝達部材１２は後退し、押し棒９の回転伝達部材当接平坦部９ａの直下に位置するようになるのは第１例と同様である。本例では、回転伝達部材１２の後退を押し棒９の前進完了の角度（１８０度）未満で完了させることにより、回転伝達部材１２押し棒押圧部１２ｄ近傍と押し棒９回転伝達部材当接平坦部９ａ近傍との部品干渉を避けられるとともに、広い面積で押し棒９回転伝達部材当接平坦部９ａに当接できるようにしている。
図８−２は、回転伝達部材１２の後退完了を示したものである、本例では回転角１３５度で回転伝達部材１２の後退が完了している。
図８−３は、更に後軸を同方向に回転することにより、押し棒の前進が完了した状態を示す。本例では回転角１８０度で押し棒９の前進が完了しているが、回転伝達部材１２の後退は既に１３５度で完了しているため、１３５度から１８０度の回転の間は後退距離を変化させず、回転角のみが変化している。この状態で尾冠部材１６を押圧すると、芯タンク６の後端が押圧され芯の繰り出しがなされる。
図８−４は、更に後軸を同方向に回転することにより、回転伝達部材１２摺動突起１２ａが、係合溝部内に配置される。このとき回転伝達部材前進規制部１１ｇにより、押圧を規制された状態を示す。
ここで、前記回転伝達部材１２に消しゴム１５が装着されており、尾冠部材１６で覆われている。この消しゴム１５を使用する際、回転伝達部材前進規制部１１ｇにより回転伝達部材１２の前進移動が阻止されているため、違和感なく消しゴムを使用でき、また、不必要な芯の繰り出し動作を回避することができる。尚、回転子１０には、摺動子突起８ａとの干渉を避けるため、過回転係止部１０ｅを設けている。
この状態で後軸１を逆方向に回転させることにより、再び芯出し操作可能の状態（図８−３）に移ることができる。
【０００８】
図９〜図１１に本発明の第３例を示す。本実施例では、一方の出没ユニットとして筆記体突出状態で尾冠部材１６の押圧を必要としない油性ボールペンユニット４を装着したものである。尾冠部材１６の押圧を必要としないため、前記第１例に比べ、押し棒及び回転伝達部材の押し棒押圧部が不要となる。また、第１例では回転伝達部材と後軸１は回転を規制され、長手方向に摺動可能に組み立てられていたが、本例では、もう一方の出没要素となる回転伝達部材１２が後軸１に対して回転が規制され、且つ、長手方向にも摺動不能に組み立てられている。
筆記体収納状態では、カム筒１１に対し、回転伝達部材１２は最前進位置にあり、摺動子８は最後退位置にある。後軸１と回転伝達部材１２は長手方向の摺動が規制されているため、後軸１も最前進位置にある。
後軸１の回転により、筆記体４を突出状態に移行すると、摺動子８は最前進位置になり、筆記体４の先端部が軸筒より突出すると共に、第２のカム面１１ｄにより、回転伝達部材１２は最後退位置になり、後軸１も最後退位置に移行する。
カム筒１１に形成した第２のカム部１１ｃの長手ストロークを適宜に設定することにより、収納状態では軸筒（前軸１と後軸２で構成される長さ）本体の全長を短くすることができ携帯性に優れ、油性ボールペンユニット４の突出（即ち、筆記状態）時には、後軸２が前軸１に対して伸張するため適度な軸筒本体の長さが得られる。この様に、伸縮式の軸筒をも得ることができる。
尚、第２のカム部１１ｃは窓状であるが、回転伝達部材摺動突起１２ａが通過可能な略溝状に形成しても何ら差し支えない。
【０００９】
図１２〜図１３に本発明の第４例を示す。本実施例では、前軸２内に、先端に繊維収束体からなる穂先１７を装着した化粧用液体を内蔵した出没ユニットが出没可能に配置されており、後軸１には、肌に塗布した化粧用液体を拡散させ整える多孔質体からなるスポンジ１８などを有する出没ユニットが出没可能に配置されている。化粧用液体を内蔵した商品形態としては、アイライナーやネイルカラーなどが１例として挙げられる。
【００１０】
図１４〜図１６に本発明の第４例を示す。本実施例では、前軸２内にスクリュー状のワイン抜き１９やドライバーなどの工具類を有する出没ユニットが出没可能に配置されており、後軸１には、突出すると左右に倒れ込みハンドル部２０が構成される出没ユニットが出没可能に配置されている。
前記ハンドル部２０は後軸１を回転させることにより、前軸前方内に配置された出没ユニットの突出動作と連動して後軸１の後端より突出する。そして、ハンドル部２０の突出動作が完了すると、各々の開閉軸２１を支点として回転させることができるようになり、つまり、長手軸に対して直角方向に突出させることができるのである。この時、各々のハンドル部２０は、前記後軸１の後端に形成された切り欠き部２２に係合する。この係合によって、使用時における後軸１の前軸２に対する空回りが防止される。
【図面の簡単な説明】
【００１１】
【図１】本発明の第１例の筆記体収納状態を示す半断面図である。
【図２】本発明の第１例の筆記体突出状態を示す半断面図である。
【図３】図１におけるＡ−Ａ’断面矢視図である。
【図４】図２におけるＢ−Ｂ’断面矢視図である。
【図５】本発明の第１例の筆記体収納状態での主要部品の組み立て部分破断斜視図である。
【図６】本発明の第１例の筆記体突出状態での主要部品の組み立て部分破断斜視図である。
【図７】本発明の第１例の筆記体収納状態での回転位置を示す主要部品の分解斜視図である。
【図８】本発明の第２例の要部部分分解組み図である。
【図９】本発明の第３例の筆記体収納状態を示す半断面図である。
【図１０】本発明の第３例の筆記体突出状態を示す半断面図である。
【図１１】本発明の第３例の筆記体収納状態及び筆記体突出状態での主要部品の組み立て部分破断斜視図である。
【図１２】本発明の第４例の出没ユニット収納状態での主要部品の組み立て部分破断斜視図である。
【図１３】本発明の第４例の出没ユニット納突出状態での主要部品の組み立て部分破断斜視図である。
【図１４】本発明の第５例の出没ユニット納収納状態での主要部品の組み立て部分破断斜視図である。
【図１５】本発明の第５例の出没ユニット納突出状態での主要部品の組み立て部分破断斜視図である。
【図１６】本発明の第５例の出没ユニット突出状態での主要部品の組み立て部分破断斜視図である。
【符号の説明】
【００１２】
１  後軸
１ａ  後方突起
１ｂ  回転規制溝
１ｃ  回転ガイド
２  後方溝形成部材
２  前軸
３  先金
４  出没ユニット（シャープペンシルユニット）
５  前バネ（第１段撥部材）
６  外パイプ
７  芯タンク
８  摺動子
８ａ  摺動子突起
８ｂ  回転規制溝
８ｃ  回転規制溝
８ｄ  押し棒係止段部
９  押し棒
９ａ  回転伝達部材当接平坦部
９ｂ  回転規制リブ
９ｃ  回転規制リブ
１０  回転子
１０ａ  カム面
１０ｂ  係合突起
１０ｃ  後バネ係止段部
１０ｄ  前進係止部
１０ｅ  過回転係止部
１０ｆ  開放溝
１１  カム筒
１１ａ  カム溝
１１ｂ  外周突起
１１ｃ  第２のカム部
１１ｄ  第２のカム面
１１ｅ  後退係止部
１１ｆ  過回転係止部
１１ｇ  回転伝達部材前進規制部
１２  回転伝達部材
１２ａ  摺動突起
１２ｂ  回転規制リブ
１２ｃ  回転伝達突起
１２ｄ  押し棒押圧部
１２ｅ  回転子係合溝
１３  後バネ（第２弾撥部材）
１４  クリップ
１５  消しゴム
１６  尾冠部材
１７  穂先
１８  スポンジ
１９  スクリュー
２０  ハンドル
２１  開閉軸
２２  ハンドル受け溝
【図１】
2006248068.tif 000003
【図２】
2006248068.tif 000004
【図３】
2006248068.tif 000005
【図４】
2006248068.tif 000006
【図５】
2006248068.tif 000007
【図６】
2006248068.tif 000008
【図７】
2006248068.tif 000009
【図８】
2006248068.tif 000010
【図９】
2006248068.tif 000011
【図１０】
2006248068.tif 000012
【図１１】
2006248068.tif 000013
【図１２】
2006248068.tif 000014
【図１３】
2006248068.tif 000015
【図１４】
2006248068.tif 000016
【図１５】
2006248068.tif 000017
【図１６】
2006248068.tif 000018